(57)【要約】【課題】  擦れ音を抑制すると共に操作フィーリング向上を可能とする。【解決手段】  スイッチケース３の開口部１９に配置され外縁側をプッシュして複数方向へ傾動操作可能なプッシュボタン５と、プッシュボタン５をプッシュ前の位置へ付勢するラバーコンタクト３７と、プッシュボタン５の各プッシュ操作により接続可能な可動接点及び固定接点とを備えたスイッチ装置において、スイッチケース３及びプッシュボタン５に、各プッシュによる傾動操作に際しスイッチケース３に対するプッシュボタン５の回転支持及び位置規制を行う離間可能な凹凸部４１，４７を振り分けて設けたことを特徴とする。【選択図】  図９
2006012645.tif 000002
【特許請求の範囲】
【請求項１】
スイッチケースの開口部に配置され外縁側をプッシュして複数方向へ傾動操作可能なプッシュ操作体と、
前記プッシュ操作体をプッシュ前の位置へ付勢する付勢手段と、
前記プッシュ操作体の各プッシュ操作により接続可能な可動接点及び固定接点とを備えたスイッチ装置において、
前記スイッチケース及びプッシュ操作体に、前記各プッシュによる傾動操作に際し前記スイッチケースに対するプッシュ操作体の回転支持及び位置規制を行う離間可能な支持部及び被支持部を振り分けて設けた
ことを特徴とするスイッチ装置。
【請求項２】
請求項１記載のスイッチ装置であって、
前記プッシュ操作体は、前記開口部からスイッチケース外へ突出するプッシュ部及び前記スイッチケース内に配置されるフランジ部を備え、
前記支持部及び被支持部を、前記フランジ部及び該フランジ部に対向する前記スイッチケースの内面に振り分けて設けた
ことを特徴とするスイッチ装置。
【請求項３】
請求項２記載のスイッチ装置であって、
前記フランジ部は、平面視で矩形状に形成され、
前記支持部及び被支持部は、前記フランジ部の角部及び該フランジ部の角部に対向するスイッチケースの内面に振り分けて設けた
ことを特徴とするスイッチ装置。
【請求項４】
請求項３記載のスイッチ装置であって、
前記フランジ部の角部に、面方向の膨出部を設け、
前記膨出部及び該膨出部に対向する前記スイッチケースの内面に前記支持部及び被支持部を振り分けて設けた
ことを特徴とするスイッチ装置。
【請求項５】
請求項１〜４の何れかに記載のスイッチ装置であって、
前記支持部及び被支持部は、相互に嵌合する球面状の凹凸部である
ことを特徴とするスイッチ装置。
【請求項６】
請求項１〜５の何れかに記載のスイッチ装置であって、
前記スイッチケースに、前記プッシュ操作体の静止位置を前記開口部に対して規制するための壁部を設けた
ことを特徴とするスイッチ装置。
【発明の詳細な説明】
【技術分野】
【０００１】
本発明は、自動車のドアミラースイッチ等として用いられるスイッチ装置に関する。
【背景技術】
【０００２】
従来のこの種のスイッチ装置としては、例えば図１０，図１１に示すようなものがある。図１０は、スイッチ装置の平面図、図１１は同断面図である。
【０００３】
図１０，図１１のスイッチ装置１０１は、例えば左右ドアミラーのミラー面の上下左右の向きを変更調整するために用いられている。スイッチ装置１０１は、スイッチケース１０３の開口部１０５にプッシュ操作体としてプッシュボタン１０７を備えている。
【０００４】
前記プッシュボタン１０７には、ドアミラーの上下左右に対応して４箇所の凸部１０９で目印が設けられ、プッシュ操作箇所が示されている。プッシュボタン１０７には、前記開口部１０５内においてフランジ部１１１が設けられている。
【０００５】
前記スイッチケース１０３には、前記フランジ部１１１の周囲を包囲するように壁部１１３が設けられている。壁部１１３は、フランジ部１１１の開口部１０５に沿った方向への移動（以下、単に図上で「横移動」とする。）を受け止め、プッシュボタン１０７の静止位置を規制している。
【０００６】
前記プッシュボタン１０７とスイッチケース１０３側との間には、プッシュボタン１０７をプッシュ前の位置へ付勢するスプリング１１５が設けられている。
【０００７】
前記プッシュ位置となる凸部１０９に対応してアクチュエータ１１７がスイッチケース１０３に軸方向移動可能に支持されている。各アクチュエータ１１７の下端には、ラバーコンタクト１１９が設けられている。ラバーコンタクト１１９には可動接点１２１が設けられている。可動接点１２１に対向して電気回路基板１２３に固定接点１２５が設けられている。
【０００８】
従って、前記プッシュボタン１０７を凸部１０９の何れかにおいてプッシュし傾動操作すると、この傾動に対応した側のアクチュエータ１１７が軸方向へ押圧されて移動し、ラバーコンタクト１１９を撓める。ラバーコンタクト１１９の撓みにより可動接点１２１が固定接点１２５に接触する。この接触で、回路基板１２３を介してドアミラー動作用のモータが駆動され、プッシュボタン１０７のプッシュ操作に応じてドアミラーの向きを上下左右に変更調整することができる。
【０００９】
前記プッシュボタン１０７を傾動操作しないとき、プッシュボタン１０７はスプリング１１５の付勢力により開口部１０５において静止位置を保持する。このとき壁部１１３がフランジ部１１１の外周側に近接しているため、フランジ部１１１の動きを壁部１１３により受けてプッシュボタン１０７の静止位置を規制することができる。
【００１０】
しかしながら、上記のような構造では、プッシュボタン１０７の傾動操作に際し、擦れ音が発生したり、擦れ感のために操作フィーリングが良くないという問題があった。
【００１１】
図１２は、図１０，図１１と同様なプッシュボタンの構成を示しており、プッシュボタン１０７をプッシュして傾動操作したときの状態を示している。
【００１２】
図１２のように、プッシュボタン１０７を凸部１０９の何れかでプッシュするとプッシュ操作力Ｆに対し横方向の力Ｆsinθが発生する。従って、プッシュボタン１０７は、開口部１０５に対して力Ｆsinθ方向へ横移動し、プッシュ操作中にフランジ部１１１が壁部１１３に接触し、前記擦れ音や擦れ感を招くものとなっていた。
【００１３】
【特許文献１】特開平１１−２８８６４４号公報
【発明の開示】
【発明が解決しようとする課題】
【００１４】
解決しようとする問題点は、プッシュ操作に際して擦れ音の発生や、擦れ感のための操作フィーリング低下があるという点である。
【課題を解決するための手段】
【００１５】
本発明は、擦れ音を抑制すると共に操作フィーリングを向上することを可能とするため、スイッチケース及びプッシュ操作体に、各プッシュによる傾動操作に際し前記スイッチケースに対するプッシュ操作体の回転支持及び位置規制を行う離脱可能な支持部及び被支持部を振り分けて設けたことを最も主要な特徴とする。
【発明の効果】
【００１６】
本発明のスイッチ装置は、スイッチケース及びプッシュ操作体に、各プッシュによる傾動操作に際し前記スイッチケースに対するプッシュ操作体の回転支持及び位置規制を行う離間可能な支持部及び被支持部を振り分けて設けたため、プッシュ操作体のプッシュによる傾動操作に際して、支持部及び被支持部が、プッシュ操作体のプッシュによる傾動操作時に発生する開口部に沿った方向の力を受けることができ、プッシュ操作体の開口部に対する移動を規制することができる。
【００１７】
従って、プッシュ操作体のプッシュによる傾動操作時にプッシュ操作体とスイッチケース側との間の擦れ音を抑制することができる。
【００１８】
また、プッシュ操作体のプッシュによる傾動操作時に擦れ感を抑制し、プッシュ操作体の操作フィーリングを向上することができる。
【００１９】
前記プッシュ操作体は、前記開口部からスイッチケース外へ突出するプッシュ部及び前記スイッチケース内に配置されるフランジ部を備え、前記支持部及び被支持部を、前記フランジ部及び該フランジ部に対向する前記スイッチケースの内面に振り分けて設けた場合は、スイッチケースに対してフランジ部を支持部及び被支持部によって回転支持及び位置規制を行うことができ、擦れ音の抑制と、操作フィーリングの向上を図ることができる。
【００２０】
前記フランジ部が、平面視で矩形状に形成され、前記支持部及び被支持部が、前記フランジ部の角部及び該フランジ部の角部に対向するスイッチケースの内面に振り分けて設けた場合は、プッシュ操作体を角部間の４箇所でプッシュ位置とすることができ、スイッチ装置としての機能を向上することができる。
【００２１】
前記フランジ部の角部に、面方向の膨出部を設け、該膨出部及び該膨出部に対向する前記スイッチケースの内面に前記支持部及び被支持部を振り分けて設けた場合は、支持部及び被支持部による回転支持及び位置規制を行う点と開口部との間の距離を増大することができ、プッシュ操作体のプッシュによる傾動範囲を小さくすることができる。このため、プッシュ時に発生する開口部に沿った方向の力を小さくすることができ、擦れ音の抑制と、操作フィーリングの向上をより確実に達成することができる。
【００２２】
前記支持部及び被支持部が、相互に嵌合する球面状の凹凸部である場合は、スイッチケースに対するプッシュ操作体の回転支持及び位置規制をより確実且つ円滑に行うことができ、擦れ音の抑制と、操作フィーリングの向上をより確実に達成することができる。
【００２３】
前記スイッチケースに、前記プッシュ操作体の静止位置を開口部に対して規制するための壁部を設けた場合は、プッシュ操作前にプッシュ操作体が開口部に位置しているとき、壁部によってプッシュ操作体の開口部に沿った方向の動きを受け止めることができる。しかも、プッシュ操作体のプッシュにより傾動操作したときには、支持部及び被支持部によってプッシュ操作体の回転支持及び位置規制を行い、プッシュ操作体側と壁部との擦れ音を確実に抑制し、擦れ感による操作フィーリング低下も確実に抑制することができる。
【発明を実施するための最良の形態】
【００２４】
擦れ音抑制、操作フィーリング向上という目的を、支持部及び被支持部を設けることによって実現した。
【実施例１】
【００２５】
図１，図２は、本発明の実施例１を適用したスイッチ装置を示し、図１は斜視図、図２は図１のＳＡ−ＳＡ矢視断面図である。図１，図２で示すスイッチ装置１は、例えば自動車の左右ドアミラーを操作するためのものであり、スイッチケース３に対しプッシュ操作体であるプッシュボタン５の他、シーソースイッチ７及びスライドスイッチ９を備えている。
【００２６】
前記プッシュボタン５は、左右ドアミラーのミラー面の上下左右の向きを変更調整するためのものである。シーソースイッチ７は、オープン側及びクローズ側の操作部を有し、その操作によってドアミラーを使用状態及び格納状態とに姿勢変更させるものである。スライドスイッチ９は、左右にスライド操作することによって、前記プッシュボタン５によるミラー面の調整を左右何れかのドアミラーに切り換えるものである。
【００２７】
前記スイッチケース３は、前記プッシュボタン５、シーソースイッチ７、スライドスイッチ９をそれぞれ支持している。スイッチケース３は、ベース１１にカバー１３を着脱自在に結合したものである。
【００２８】
前記ベース１１には、ターミナルブロック１５が着脱自在に取り付けられている。ターミナルブロック１５には、前記プッシュボタン５の操作に応じた固定接点１７が複数設けられている。
【００２９】
前記カバー１３側には、前記プッシュボタン５を配置する開口部１９が設けられている。開口部１９は、平面視で矩形状、本実施例では、例えばほぼ正方形状に形成されている。開口部１９内には、係合面２１が開口部１９に沿って周回状に形成され、スイッチケース３の内面を構成している。係合面２１の周囲には、壁部２３が周回状に設けられている。壁部２３は、プッシュボタン５の静止位置を前記開口部１９に対して規制するためのものである。壁部２３は、カバー１３の周壁２５側においてこの周壁２５により構成されている。
【００３０】
前記プッシュボタン５は、スイッチケース３の開口部１９に配置され、外縁側をプッシュして複数方向へ傾動操作可能となっている。本実施例では４箇所をプッシュして４方向へ傾動操作可能に構成されている。プッシュボタン５の４方向への傾動操作は、ドアミラーのミラー面上下左右に対応している。プッシュボタン５は、平面視で矩形、例えばほぼ正方形状に形成され、プッシュ部２７及びフランジ部２９を備え、ほぼハット断面形状に形成されている。
【００３１】
前記プッシュ部２７は、開口部１９から突出し、その上面に操作用の目印として４個の三角マーク３１が設けられている。前記フランジ部２９は、スイッチケース３内において、前記係合面２１に対向して係合するようになっている。フランジ部２９の外周には、前記壁部２３が近接し、フランジ部２９が開口部１９に沿った方向へ移動（以下、図上「横移動」とする。）しようとするとき壁部２３がフランジ部２９を受け止める構成となっている。
【００３２】
前記プッシュボタン５の裏面中央には、結合部３３が設けられ、該結合部３３に作用部３５が着脱自在に取り付けられている。作用部３５の先端側には、前記スイッチケース３側に支持されたラバーコンタクト３７が設けられている。ラバーコンタクト３７は、弾性力を有し、該ラバーコンタクト３７の弾性反力が作用部３５を介して、プッシュボタン５に働くようになっている。
【００３３】
従って、プッシュボタン５は、前記ラバーコンタクト３７の弾発力によりプッシュ部２７が開口部１９から突出し、フランジ部２９が係合面２１に係合した静止位置を保持する構成となっている。従って、ラバーコンタクト３７は、プッシュ操作体としてのプッシュボタン５を、プッシュ前の位置へ付勢する付勢手段を構成している。
【００３４】
前記ラバーコンタクト３７には、前記プッシュ位置である三角マーク３１に対応して、可動接点３９が４箇所に設けられている。従って、前記プッシュボタン５のマーク３１の何れかの箇所をプッシュすると、プッシュボタン５は傾動してプッシュ該当箇所が下降し、結合部３３及び作用部３５を介してラバーコンタクト３７が撓められる。ラバーコンタクト３７の撓みにより対応する可動接点３９が固定接点１７に接触し、ドアミラーのミラー面の上下左右方向の何れかへの向きを選択的に調整することができる。
【００３５】
前記スイッチケース３及びプッシュボタン５に、前記各マーク３１でのプッシュによる傾動操作に際しスイッチケース３に対するプッシュボタン５の回転支持及び位置規制を行う離間可能な支持部及び被支持部として凹凸部が振り分けて設けられている。
【００３６】
図３〜図９は、前記凹凸部を説明するもので、図３はプッシュボタン５の拡大平面図、図４は同要部の拡大平面図、図５はスイッチケース３のカバー１３の内面側を示す平面図、図６はスイッチケースとプッシュボタンとの間の凹凸部の位置を示す平面図、図７は図６のＳＢ−ＳＢ矢視における要部拡大断面図、図８は図６のＳＢ−ＳＢ矢視断面図、図９は図６のＳＢ−ＳＢ矢視におけるプッシュボタン傾動操作後の断面図である。
【００３７】
図３，図４のように、前記プッシュボタン５のフランジ部２９の角部に、凸部４１が設けられている。凸部４１は、その表面が球面状に形成されている。フランジ部２９の角部に面方向の膨出部４５が設けられている。この膨出部４５に前記凸部４１が設けられている。
【００３８】
図５のように、前記フランジ部２９の角部に対向するスイッチケース３の内面、すなわちカバー１３の係合面１１の角部に、凹部４７が設けられている。凹部４７の内面は、球面状に形成されている。前記凹凸部４１，４７の球面状は、本実施例において相互にがたつき無く球面ガイドする大きさに形成されている。但し、前記凹凸部４１，４７の球面状の相互間のがたつきは、フランジ部２９が壁部２３に接触しないか、接触しても擦れ音を発生させない程度で有ればある程度許容されるものである。
【００３９】
かかる構成により、前記凹凸部４７，４１をフランジ部２９及び該フランジ部２９に対向するスイッチケースの内面である係合面２１に振り分けて設けた構成となっている。但し、凸部４１をカバー１３側に設け、凹部４７をプッシュボタン５のフランジ部２９側に設けることも可能である。
【００４０】
図６，図７は、カバー１３の開口部１９にプッシュボタン５を配置した状態で、凸部４１が凹部４７に嵌合した状態を示している。図６において、凹凸部４７，４１はカバー１３内に隠れているが、説明上実線で示している。
【００４１】
前記プッシュボタン５が、カバー１３の開口部１９に配置された状態で、フランジ部２９の凸部４１がカバー１３の係合面２１の凹部４９に嵌合して位置規制が行われている。この状態でプッシュボタン５が、ラバーコンタクト３７により付勢され、フランジ部２９の角部の凸部４１が係合面２１の角部の凹部４７にそれぞれ嵌合し、付勢力を持って静止位置が規制されている。この静止位置の規制によって、プッシュボタン５のがたつきを確実に抑制することができる。また、壁部２３によってプッシュボタン５の横移動を受け止めることができ、プッシュボタン５のがたつきを確実に抑制することができる。さらに、プッシュボタン５をプッシュして傾動操作すると、凸部４１が凹部４９から容易に離脱し離間可能となっている。
【００４２】
図８の状態で、ドアミラーのミラー面調整のために、プッシュボタン５を何れかのマーク３１の位置でプッシュすると、プッシュボタン５は図９のようにカバー１３に対して傾動する。この傾動に際し、プッシュ位置のマーク３１側の両角部に位置する凸部４１が係合面２１の凹部４７から離脱し、プッシュ位置のマーク３１の反対側の両角部に位置する凸部４１が係合面２１の凹部４７によって回転ガイドされる。
【００４３】
従って、プッシュボタン５のプッシュ時に、図１２のようなＦsinθの力が発生しても、前記のように凸部４１が凹部４７に係合していることによって、前記Ｆsinθの力が受けられる。このため、プッシュボタン５は、開口部１９に対して横移動することがなく、そのままの位置で図８〜図９のように回転傾動する。
【００４４】
こうして、フランジ部２９に壁部２３が近接していても壁部２３にプッシュボタン５のフランジ部２９が擦れるようなことが無いか抑制され、擦れ音を防止又は抑制することができる。また、擦れ感を防止又は抑制し、操作フィーリングを大幅に向上することができる。
【００４５】
前記凹部４７及び凸部４１は、前記のようにプッシュボタン５の角部の４箇所に設けられているため、プッシュボタン５の４つのマーク３１の何れを操作しても、同様の作用を奏することができる。
【００４６】
尚、上記実施例では、プッシュボタン５及び開口部１９を平面視で正方形状のものに適用したが、長方形状、円形などのものにも適用することができる。また、フランジ部１９のみ正方形状に形成し、プッシュ部２７等を円形等に形成することもできる。凹凸部４１，４７は、回転支持及び位置規制を行い、かつ離間可能なものであればよく、楔型凸部及び凹部等で構成することも可能である。支持部及び被支持部は、凹凸部４１，４７に限られず、またその離間は、相互が完全に離脱する形態のもに限られることはなく、一部が弾性伸縮部等により結合されているものでも良い。
【００４７】
前記プッシュボタン５の操作位置は、４箇所ではなく、対向する２箇所のもの等にも適用することができる。
【図面の簡単な説明】
【００４８】
【図１】スイッチ装置の斜視図である（実施例１）。
【図２】図１のＳＡ−ＳＡ矢視断面図である（実施例１）。
【図３】プッシュボタンの拡大平面図である（実施例１）。
【図４】プッシュボタンの角部の拡大平面図である（実施例１）。
【図５】スイッチケースのカバーの内面を示す平面図である。
【図６】凹凸部の位置を示すプッシュボタン及びカバーの平面図である。
【図７】図６のＳＢ−ＳＢにおける要部拡大断面図である（実施例１）。
【図８】図６のＳＢ−ＳＢ矢視断面図である（実施例１）。
【図９】図６のＳＢ−ＳＢ矢視断面におけるプッシュボタン傾動操作後の断面図である（実施例１）。
【図１０】スイッチ装置の平面図である（従来例）。
【図１１】スイッチ装置の断面図である（従来例）。
【図１２】スイッチボタンの傾動を示す断面図である（従来例）。
【符号の説明】
【００４９】
１  スイッチ装置
３  スイッチケース
５  プッシュボタン（プッシュ操作体）
１７  固定接点
１９  開口部
２１  係合面（内面）
２３  壁部
２７  プッシュ部
２９  フランジ部
３７  ラバーコンタクト（付勢手段）
３９  可動接点
４１  凸部（被支持部）
４５  膨出部
４７  凹部（支持部）
【図１】
2006012645.tif 000003
【図２】
2006012645.tif 000004
【図３】
2006012645.tif 000005
【図４】
2006012645.tif 000006
【図５】
2006012645.tif 000007
【図６】
2006012645.tif 000008
【図７】
2006012645.tif 000009
【図８】
2006012645.tif 000010
【図９】
2006012645.tif 000011
【図１０】
2006012645.tif 000012
【図１１】
2006012645.tif 000013
【図１２】
2006012645.tif 000014